(57)【要約】【課題】洗濯物の乾燥を短時間で行うことができる浴室空調装置を提供する。【解決手段】換気用ファンを有し浴室の空気を外へ排気する換気ユニットと、浴室の空気を加熱するヒータと、浴室の温度を検出する温度センサとを備え、換気ユニットによる浴室の換気と、ヒータによる浴室の空気の加熱とを行う乾燥運転モードの最中、温度センサが検出する温度がヒータ復帰温度以上になったとき、ヒータへの通電が停止されてヒータによる加熱動作が停止し、その温度がヒータＯＦＦ温度より低いヒータ復帰温度となったときヒータへの通電が開始されてヒータによる加熱動作が行われる浴室空調装置であって、ヒータへ通電している乾燥運転モードの動作中、温度センサが検出する温度がヒータ復帰温度から上昇してヒータＯＦＦ温度に近づくにしたがって、換気用ファンの回転数を漸増して換気ユニットによる換気量を漸増させることにより、温度がヒータＯＦＦ温度を超えないようにすることを特徴とする。【選択図】図１０
2010246998.tif 000002
【特許請求の範囲】
【請求項１】
浴室の空気を外へ排気する換気手段と、浴室の空気を加熱する加熱手段と、浴室の温度を検出する温度センサとを備え、前記換気手段による浴室の換気と、前記加熱手段による浴室の空気の加熱とを行う乾燥運転モード時に、前記温度センサが検出する温度が第１設定温度以上になったとき、前記加熱手段の加熱動作を停止し、前記換気手段による換気量を増加させ、その温度が第１設定温度より低い第２設定温度になったとき前記加熱手段による加熱動作が行われることを特徴とする浴室空調装置。
【請求項２】
浴室の空気を外へ排気する換気手段と、浴室の空気を加熱する加熱手段と、浴室の温度を検出する温度センサとを備え、前記換気手段による浴室の換気と、前記加熱手段による浴室の空気の加熱とを行う乾燥モードの最中、前記温度センサが検出する温度が第１設定温度以上になったとき、前記加熱手段の加熱動作が停止し、その温度が第１設定温度より低い第２温度になったとき前記加熱手段による加熱動作が行われる浴室空調装置であって、
前乾燥運転モードの動作中に、温度センサが検出する温度が第１設定温度に近づくにしたがって、前記換気手段による換気量を増加させることを特徴とする浴室空調装置。
【請求項３】
前記浴室の湿度を検出する湿度センサまたは浴室に設置されるとともに洗濯物を干すランドリーパイプの重量を検出する重量センサを設け、前記湿度センサが検出する湿度に基づき、または重量センサが検出する重量に基づき、前記乾燥モードが停止することを特徴とする請求項１または請求項２に記載の浴室空調装置。
【発明の詳細な説明】
【技術分野】
【０００１】
この発明は、浴室を換気する換気機能と、浴室に干した衣類等を乾燥させる乾燥機能を備えた浴室空調装置に関する。
【背景技術】
【０００２】
一般に浴室空調装置は、その本体に吸込口、吹出口および排気口が形成され、また本体内には、モータによって回転駆動され、吸込口から吸い込んだ浴室空気を吹出口および排気口に向かって吐出するファンが設けられている。ファンの後流側にはダンパーが設けられ、このダンパーはファンから吐出された浴室空気を吹出口に送出したり、排気口に送出したりする。そして、吹出口からは循環空気として浴室内に供給され、また排気口を介して外気中に排気空気として排出される。また、吹出口にはヒータが設けられ、このヒータは通電により発熱し、吹出口を通る空気を加熱する。
【０００３】
このような浴室空調装置には、通常、暖房運転モード、換気運転モード、乾燥運転モード、および涼風運転モードが用意されており、ダンパーの角度を制御することにより、各運転モードを任意に設定することができる（例えば、特許文献１参照）。
【０００４】
暖房運転モードでは、図１１に示すように、ダンパー１により吹出口２を開き排気口３を閉じて、ファン（図示省略）から吐出された浴室空気のすべてを図の破線矢印のように吹出口２側へ送出し、ヒータ４で加熱しながら浴室内を循環させる。換気運転モードでは、図１２に示すように、ダンパー１により吹出口２を閉じ排気口３を開いて、ファン（図示省略）から吐出された浴室空気のすべてを図の破線矢印のように排気口３側へ送出し、建物の外の外気中へ排出する。
【０００５】
乾燥運転モードでは、図１３に示すように、ダンパー１を暖房運転モードと換気運転モードの中間位置に配置して、ファン（図示省略）から吐出された浴室空気を図の破線矢印のように吹出口２側と排気口３側とに分流させることにより、浴室空気の一部をヒータ４で暖めてから浴室１２内に循環させるとともに、水分を含んだ浴室空気を外部へ排出する。この乾燥運転モードは吹出口２側と排気口３側とに浴室空気を分流させており、分流方式の乾燥運転モードと呼ばれている。
【０００６】
また、ダンパー１を暖房運転モードと換気運転モードの中間位置に配置せず、図１１に示した状態（暖房運転モード）と図１２に示した状態（換気運転モード）とが交互に繰り返されるようダンパー１の位置を切り換えて、ファンから吐出された浴室空気を吹出口２側と排気口３側とに間欠的に送出する、いわゆる間欠換気方式の乾燥運転モードも考えられている。
【０００７】
涼風運転モードでは、ダンパー１の操作は乾燥運転モードと同じであるが、ヒータ４への通電をせずに涼しい空気を浴室内に循環させつつ、浴室内の換気行う。
【０００８】
ところで、浴室空調装置においては、乾燥運転モード時に、ヒータに通電したままであると浴室内の温度が上昇しすぎることがある。
【０００９】
そこで、従来の浴室空調装置には、浴室内の温度または吹出口からの吹出空気の温度を検出し、その検出温度が所定温度以上になったとき、ヒータへの通電を停止し、検出温度が所定温度未満になったら、ヒータへの通電を再開する安全機能が設けられている。
【特許文献１】特開平７−１７１２９９号公報
【発明の開示】
【発明が解決しようとする課題】
【００１０】
しかしながら、上記従来の浴室空調装置では、乾燥運転モードの場合、分流方式でも間欠換気方式でも、浴室温度センサの検出温度によるヒータへの通電を停止する温度と、ヒータへ通電する温度との間にはある一定の温度差を設けてチャタリングを防止している。このため、ヒータへの通電を停止しても、浴室内の温度が所定温度に下がるまで長時間を要してしまい、ヒータが再度オンするまで長時間要することになる。このため、衣類等の洗濯物を短時間で乾燥させることができないという問題があった。
【００１１】
また、乾燥運転モードでは、一定風量で換気を行っているため浴室内の湿気量に対して換気が十分に追いつかず、衣類乾燥時間の短縮を妨げる要因となっていた。
【００１２】
この発明は、洗濯物の乾燥を短時間で行うことができる浴室空調装置を提供することにある。
【課題を解決するための手段】
【００１３】
請求項１の発明は、浴室の空気を外へ排気する換気手段と、浴室の空気を加熱する加熱手段と、浴室の温度を検出する温度センサとを備え、前記換気手段による浴室の換気と、前記加熱手段による浴室の空気の加熱とを行う乾燥運転モード時に、前記温度センサが検出する温度が第１設定温度以上になったとき、前記加熱手段の加熱動作を停止し、前記換気手段による換気量を増加させ、その温度が第１設定温度より低い第２設定温度になったとき前記加熱手段による加熱動作が行われることを特徴とする。
【００１４】
請求項２の発明は、浴室の空気を外へ排気する換気手段と、浴室の空気を加熱する加熱手段と、浴室の温度を検出する温度センサとを備え、前記換気手段による浴室の換気と、前記加熱手段による浴室の空気の加熱とを行う乾燥モードの最中、前記温度センサが検出する温度が第１設定温度以上になったとき、前記加熱手段の加熱動作が停止し、その温度が第１設定温度より低い第２温度になったとき前記加熱手段による加熱動作が行われる浴室空調装置であって、前乾燥運転モードの動作中に、温度センサが検出する温度が第１設定温度に近づくにしたがって、前記換気手段による換気量を増加させることを特徴とする。
【００１５】
請求項３の発明は、前記浴室の湿度を検出する湿度センサまたは浴室に設置されるとともに洗濯物を干すランドリーパイプの重量を検出する重量センサを設け、前記湿度センサが検出する湿度に基づき、または重量センサが検出する重量に基づき、前記乾燥モードが停止することを特徴とする。
【発明の効果】
【００１６】
この発明によれば、衣類や浴室壁面を短時間で乾燥させることができる。
【図面の簡単な説明】
【００１７】
【図１】この発明に係わる浴室空調装置の概略構成を示した断面図である。
【図２】図１に示す浴室空調装置の制御系の構成を示したブロック図である。
【図３】浴室空調装置の動作を示したフロー図である。
【図４】浴室の温度の変化を示したグラフである。
【図５】第２実施例の浴室空調装置の外観を示した説明図である。
【図６】図５の浴室空調装置の構成を示した縦断面図である。
【図７】図５の浴室空調装置の構成を示した縦断面図である。
【図８】第２実施例の浴室空調装置の制御系の構成を示したブロック図である。
【図９】第２実施例の浴室空調装置の動作を示したフロー図である。
【図１０】浴室の温度の変化とシロッコファンの回転数との関係を示したグラフである。
【図１１】従来の浴室空調装置の暖房運転モード時または運転停止時のダンパー位置を示した説明図である。
【図１２】従来の浴室空調装置の換気運転モード時のダンパー位置を示した説明図である。
【図１３】従来の浴室空調装置の分流方式の乾燥運転モード時のダンパー位置を示した説明図である。
【発明を実施するための最良の形態】
【００１８】
以下、この発明に係わる浴室空調装置の実施例を図面に基づいて説明する。
【実施例】
【００１９】
［第１実施例］
図１は本発明に係る浴室空調装置１０を示したものである。この浴室空調装置１０は外側に金属製ボックスからなる本体ケース１１を有し、この本体ケース１１は浴室１２の天井部１３に設けられた開口部１４に挿入される。本体ケース１１の両側面には上部が逆Ｌ字状に折り曲げられたアンカーステイ１５が取り付けられている。アンカーステイ１５の上部逆Ｌ字状の部分には、階上のフロアとの仕切壁１６に設けられるアンカーボルト１７が挿通され、このアンカーボルト１７によって本体ケース１１は仕切壁１６に固定されている。
【００２０】
本体ケース１１の内部には、円筒形状をなす遠心式の吸引ファン１８が配設されている。吸引ファン１８はファンケース１９内に収容され、吸引ファン１８で吸引された浴室１２の空気はファンケース１９によって送風路２０に導かれる。送風路２０は、本体ケース１１に形成された排気口２１を介して排気風路２２、および浴室１２に空気を送る循環風路２３に繋がっている。
【００２１】
ファンケース１９には、吸引ファン１８の回転中心軸に対応してベルマウス２４が形成され、浴室１２内の空気はベルマウス２４を介して吸引ファン１８に導入される。また、吸引ファン１８は、本体ケース１１の上部壁１１Ａに設けられたファンモータ２５の出力軸に連結され、ファンモータ２５によって回転駆動される。
【００２２】
送風路２０には、支軸２６を中心にして回動自在なダンパー２７が設けられている。このダンパー２７はモータＭ１（図２参照）によって駆動され、図の実線のように排気風路２２側に立ち上がると、排気風路２２が遮断されて、送風路２０と循環風路２３とが連通する。また、ダンパー２７が図の二点鎖線のように循環風路２３側の開口縁部に倒れると、循環風路２３が遮断されて、送風路２０と排気風路２２とが連通する。また、ダンパー２７が図の破線で示す中間位置に位置されると、送風路２０と排気風路２２および循環風路２３とが連通し、送風路２０から送り出される空気の一部が排気風路２２へ流れ、残りの空気が循環風路２３へ流れるようになっている。
【００２３】
そして、排気風路２２へ流れる空気の量は、ダンパー２７の中間位置を変えることによって変えられる。すなわち、ダンパー２７の中間位置、つまりダンパー２７の開度（排気風路２２に対する開度）を変えることによって換気量が変わるようになっている。そして、吸引ファン１８とダンパー２７と排気風路２２とで排気手段が構成される。
【００２４】
循環風路２３にはヒータ（加熱手段）２８が設けられている。ヒータ２８はその表面に多数のフィンを有し、循環風路２３を通る空気を暖めることができる。
【００２５】
本体ケース１１の排気口２１の外側縁部にはダクトジョイント２９が配設され、ダクトジョイント２９には建物の外側に通じるダクト３０が接続されている。また、本体ケース１１にはフロントパネル３１が浴室１２内に露出して設けられ、本体ケース１１と天井部１３の開口部１４の内縁部は、フロントパネル３１によって隠され、浴室１２側からは見えないようになっている。
【００２６】
フロントパネル３１には、ベルマウス２４に対向して吸込口３２が、ヒータ２８に対向して吹出口３３がそれぞれ形成されている。なお、図示してないが、吸込口３２には吸込みグリルが、吹出口３３には吹出しグリルがそれぞれ設けられている。
【００２７】
本体ケース１１の上部壁１１Ａの上面には、制御手段としての制御回路基板３４が設けられ、ダンパー２７の動作は制御回路基板３４により制御される。制御回路基板３４には、浴室１２の温度を検出するサーミスタ等の温度センサ３５と、浴室１２の湿度を検出する湿度センサ４０とが接続されている。この温度センサ３５および湿度センサ４０は本体ケース１１内部のベルマウス２４付近に設けられている。また、制御回路基板３４は金属製のカバー３６で覆われている。なお、温度センサ３５および湿度センサ４０を本体ケース１１内に設けず、浴室１２内に設ける構成でもよく、浴室１２内の温度を直接若しくは間接的に検出できるようになっていればよい。
【００２８】
制御回路基板３４には、乾燥運転モードの際に、温度センサ３５や湿度センサ４０からの検出温度データを取り込んで、検出温度データが所定温度以上である場合、ヒータ２８への通電を停止する安全機能が組み込まれている。また、制御回路基板３４にはリモートコントロール装置（操作リモコン）３７が接続されている。
【００２９】
制御回路基板３４には、図２に示すように、ダンパ２７用のモータＭ１を駆動させるモータ駆動回路５１と、吸引ファン１８用のモータ２５を駆動させるモータ駆動回路５２と、ヒータ２８を通電させるヒータ回路５３と、温度センサ３５が検出する温度や湿度センサ４０が検出する湿度や操作リモコン３７の操作に基づいてモータ駆動回路５１,５２およびヒータ回路５３を制御するＣＰＵ等から構成される制御回路５０とが設けられている。
［動  作］
次に、上記のように構成される浴室空調装置１０の動作を図３に示すフロー図に基づいて説明する。
【００３０】
操作リモコン３７の操作により乾燥運転モードが設定されてスタートされると、ダンパ２７が破線位置へ移動されるとともにモータ２５が駆動され、ヒータ２８が通電される。
【００３１】
そして、モータ２５の駆動により吸引ファン１８が回転していき、浴室の空気が吸引ファン１８によってフロントパネル３１の吸込口３２から本体ケース１１内に吸い込まれ、送風路２０へ送風されていく。この送風路２０へ送風された空気は排気風路２２と循環風路２３とへ流れていく。
【００３２】
循環風路２３へ流れた空気は、ヒータ２８で暖められた後に吹出口３３から浴室１２内へ吹き出していく。これにより、図４に示すように浴室１２の温度が上昇していく。
【００３３】
他方、排気風路２２へ流れた空気はダクト３０を介して建物の外へ排気され、浴室１２の換気が行われる。すなわち、浴室の湿った空気が室外へ排気され、替わりに図示しない浴室のドアに設けてあるガラリ（アンダーカット）等から乾燥した空気が取り入れられるので、衣類などの洗濯物が乾燥していく。
【００３４】
そして、ステップ１では湿度センサ４０が検出する湿度が所定湿度以下になったか否かが判断される。すなわち、湿度に基づき衣類などの洗濯物が乾いたか否かが判断され、イエスであれば乾燥終了で、乾燥運転モードは終了することになる。ノーであれば、すなわち洗濯物が乾いていない場合にはステップ２へ進む。
【００３５】
ステップ２では、浴室１２の空気が所定温度（第１設定温度）になったか否か、例えば５０度になったか否かが判断され、ノーであればステップ１へ戻り、浴室１２の空気が所定温度になるまでステップ１およびステップ２の処理動作が繰り返し行われる。
【００３６】
すなわち、浴室１２の空気が５０度に達するまで、ダンパー２７が破線位置に移動されたまま、ヒータ２８の通電と吸引ファン１８の回転駆動が行われる。
【００３７】
そして、浴室１２の空気が所定温度に達すると、すなわち浴室１２の空気が５０度に達すると（図４の時点ｔ１）、ステップ２でイエスと判断されてステップ３へ進む。
【００３８】
ステップ３では、ヒータ２８の通電が停止され、ダンパ２７が反時計回りに回動されて、図１に示す破線と鎖線の間に移動され、排気風路２２に対するダンパの開度が大きくなる。これにより、送風路２０から循環風路２３へ流れていく空気の量が減少するとともに、送風路２０から排気風路２２へ流れていく空気の量が増大する。つまり、浴室の湿った空気が室外へ排気される換気風量が増大し、図示しない浴室のドアに設けてあるガラリ（アンダーカット）等から温度の低くい空気の取り入れが増大する。このため、図４に示すように浴室１２の温度の低下が速くなる。
【００３９】
ステップ４では、湿度センサ４０が検出する湿度が所定湿度以下になったか否かが判断される。すなわち、衣類などの洗濯物が乾いたか否かが判断され、イエスであれば乾燥終了で、乾燥運転モードは終了することになる。ノーであれば、すなわち洗濯物が乾いていない場合にはステップ５へ進む。
【００４０】
ステップ５では、浴室１２の空気が復帰温度（第２設定温度）になったか否か、例えば４０度になったか否かが判断され、ノーであればステップ５へ戻り、浴室１２の空気が所定温度になるまでステップ５の処理動作が繰り返し行われる。
【００４１】
すなわち、浴室１２の空気が４０度に低下するまで、ヒータ２８の通電が停止され、ダンパ２７が図１に示す破線と鎖線の間に移動されたまま、吸引ファン１８の回転駆動が行われる。
【００４２】
そして、浴室１２の空気が４０度まで低下すると（図４において時点ｔ２）、ステップ５でイエスと判断されてステップ６へ進む。
【００４３】
ステップ６では、ヒータ２８が通電され、ダンパ２７が元の位置である破線位置へ復帰される。ヒータ２８の通電により、浴室１２の温度は上昇していくことになる。そして、ステップ１へ戻り、衣類などの洗濯物が乾燥するまでステップ１ないしステップ６の処理動作が繰り返し行われる。
【００４４】
このステップ１ないしステップ６の処理動作の繰り返しにより、浴室１２の温度は、図４のグラフＧに示すように、時点ｔ３,ｔ５,…でヒータ２８がオフとなることにより下降していき、時点ｔ４,ｔ６,…でヒータ２８がオンとなることにより上昇していき、４０度と５０度の間で下降および上昇を繰り返すことになる。
【００４５】
上述のように、ヒータ２８の通電が停止されると、換気量が増大されて浴室１２の空気の温度低下が速くなり、このため、ヒータ２８のオフ時点（図４の時点ｔ１）からヒータ２８のオン時点（図４の時点ｔ２）までの時間が短くなる。ちなみに、換気量が増大されないと、破線で示すようにヒータ２８のオフ時点からヒータ２８のオン時点までの時間が長くなる。
【００４６】
このように、ヒータ２８のオフ時点からヒータ２８のオン時点までの時間が短くなることにより、所定期間におけるヒータ２８が通電している総計時間が長くなる。このため、洗濯物の乾燥を短時間で行うことができることになる。さらに、換気量が増大されることにより、図示しない浴室のドアに設けてあるガラリ（アンダーカット）等から乾燥した空気の取り入れが増大するので、洗濯物の乾燥をより短時間で行うことができることになる。
【００４７】
上記実施例では、湿度センサ４０で浴室１２の空気の湿度を検出しているが、この湿度センサ４０を使用せずに、例えば、浴室１２に取り付けるランドリーパイプの重量を検出する重量センサ４１（図２参照）を設け、この重量センサ４１によって乾燥運転モードのスタート時点のランドリーパイプとランドリーパイプに吊るされる洗濯物の合計の重さを検出し、この重さに対して洗濯物が乾燥して軽くなったときの平均的な重さ（基準値）を予め求めておき、重量センサ４１が検出する重さが基準値以下になったとき、すなわち検出する重量に基づき洗濯物の乾燥が終了したと判断するようにしてもよい。なお、重量センサ４１は例えば歪みセンサ等である。
［他の運転モード］
暖房運転モードが設定されると、ダンパ２７は実線位置へ移動され、ヒータ２８が通電されるとともにモータ２５が駆動される。そして、モータ２５の駆動により吸込ファン１８が回転される。この吸込ファン１８の回転により、フロントパネル３１の吸込口３２から浴室１２の空気が本体ケース１１内に吸い込まれ、送風路２０および循環風路２３を通って、さらにヒータ２８で暖められた後に、吹出口３３から浴室１２内に送られる。これにより、浴室１２の暖房が行われる。
【００４８】
換気運転モードが設定されると、ダンパ２７は鎖線位置へ移動され、ヒータ２８の通電は停止され、モータ２５が駆動される。
【００４９】
モータ２５の駆動により吸引ファン１８が回転される。この吸込ファン１８の回転により本体ケース１１内に吸い込まれた浴室１２の空気は、ダンパ２７が鎖線位置へ移動していることにより、送風路２０および排気風路２２を通り、さらにダクト３０を介して建物の外へ排気され、替わりに図示しない浴室のドアに設けてあるガラリ（アンダーカット）等から乾燥した空気が取り入れられることにより、浴室１２の換気が行われる。
【００５０】
涼風運転モードが設定されると、ダンパ２７が破線位置へ移動され、ヒータ２８は非通電となり、モータ２５が駆動される。
【００５１】
モータ２５の駆動により吸引ファン１８が回転される。この吸込ファン１８の回転により本体ケース１１内に吸い込まれた浴室１２の空気は、ダンパ２７が破線位置へ移動されていることにより、送風路２０から排気風路２２と循環風路２３へ流れていく。循環風路２３へ流れた空気は、ヒータ２８の非通電により暖められることなくそのまま吹出口３３から浴室１２内へ吹き出していき、入浴者に涼風感を与えることになる。また、排気風路２２へ流れた空気はダクト３０を介して建物の外へ排気され、替わりに図示しない浴室のドアに設けてあるガラリ（アンダーカット）等から温度の低い空気が取り入れら、さらに入浴者に涼風感を与えることになる。
［第２実施例］
図５ないし図７は、第２実施例の浴室空調装置５１０を示したものである。この浴室空調装置５１０は、換気ユニット（換気手段）５１１と、この換気ユニット５１１の換気ユニットケース（本体ケース）５１２内に着脱可能に装着された循環ユニット５２０とを備えている。
【００５２】
換気ユニット５１１は、下面が開口された筺体状の換気ユニットケース５１２と、この換気ユニットケース５１２の天板５１３に取り付けられた換気風路ケース５１４と、この換気風路ケース５１４内に回転自在に配置された換気用のシロッコファン（換気用ファン）５１５と、天板５１３に取り付けられた回路基板５１６と、その天板５１３に取り付けられるとともにシロッコファン（換気ファン）５１５を回転させるモータＭ５とを有している。換気ユニットケース５１２の一側壁部５１２Ａには排気口５１７が形成されている。
【００５３】
換気風路ケース５１４は、シロッコファン５１５を回転自在に配置する筒部５１４Ａと、この筒部５１４Ａから換気ユニットケース５１２の排気口５１７まで延びた案内風路部５１４Ｂとを有している。筒部５１４Ａの下面には吸気口５１８が形成され、シロッコファン５１５の回転によりその吸気口５１８から空気を吸い込むようになっている。
【００５４】
また、排気口５１７には図示しない排気ダクトが接続される接続ダクト５１７Ｄが取り付けられ、吸気口５１８から吸い込んだ空気は案内風路部５１４Ｂを経て接続ダクト５１７Ｄおよび排気ダクトを介して外へ排気されるようになっている。
【００５５】
換気ユニットケース５１２の下部には天井壁に取り付けるフランジ５１２Ｆが形成され、このフランジ５１２Ｆに化粧板５１９が取り付けられるようになっている。この化粧板５１９により換気ユニットケース５１２の下部開口５１２Ｂが覆われる。
【００５６】
循環ユニット５２０は、換気ユニットケース５１２内に嵌入される循環ユニットケース（本体ケース）５２１と、天井壁部５２２に一体に形成された循環風路ケース５２３と、この循環風路ケース５２３内に回転自在に配置された循環用のシロッコファン（循環用ファン）５２４と、このシロッコファン５２４を回転させるモータＭ６と、循環風路ケース５２３に隣接した位置に形成されるとともに上下方向に貫通した浴室側吸込風路５３０等とを備えている。モータＭ６は循環風路ケース５２３の天井壁部５２２に取り付けられて
いる。
【００５７】
循環ユニットケース５２１には吹出口５２１Ａが形成され、この吹出口５２１Ａが循環風路ケース５２３の案内風路部５２３Ａに接続されている。５２３Ｂはシロッコファン５２４を回転自在に配置した筒部であり、この筒部５２３Ｂの底面には吸気口５２３Ｃが形成され、シロッコファン５２４の回転により循環風路ケース５２３の吸気口５２３Ｃから空気が吸い込まれて案内風路部５２３Ａを介して吹出口５２１Ａから吹き出されるようになっている。
【００５８】
吹出口５２１Ａにはヒータ（加熱手段）５２６が取り付けられており、吹出口５２１Ａから吹き出される空気が暖められるようになっている。
【００５９】
浴室側吸込風路５３０内には、シャッタ５３１が回動可能に設けられている。シャッタ５３１の軸５３２の一端は浴室側吸込風路５３０の壁を貫通して循環ユニットケース５２１に形成された電動室（図示せず）に進入している。この電動室にはモータＭ２（図８参照）が設けられており、このモータＭ２によってシャッタ５３１が回動するようになっている。このシャッタ５３１の回動によって浴室側吸込風路５３０の開口５３０Ａの開閉およびその開閉度の調整が可能となっている。
【００６０】
浴室空調装置５１０は、換気ユニットケース５１２内に循環ユニット５２０の循環ユニットケース５２１を挿入し、そして換気ユニットケース５１２に循環ユニットケース５２１をネジ止めすれば組み付けが完了するものである。また、ネジを外すことにより循環ユニットケース５２１を換気ユニットケース５１２から取り外すことができる。
【００６１】
回路基板５１６には、図８に示すように、シャッタ５３１用のモータＭ２を駆動させるモータ駆動回路５５１と、シロッコファン５１５用のモータＭ５を駆動させるモータ駆動回路５５２と、シロッコファン５２４用のモータＭ６を駆動させるモータ駆動回路５５３と、ヒータ５２６を通電させるヒータ回路５５４と、温度センサ３５が検出する浴室１２の温度や湿度センサ４０が検出する浴室１２の湿度や操作リモコン３７の操作に基づいてモータ駆動回路５５１〜５５３やヒータ回路５５４を制御するＣＰＵ等から構成される制御回路５５０とが設けられている。
［動  作］
次に、上記のように構成される浴室空調装置５１０の動作を図９に示すフロー図に基づいて説明する。
【００６２】
操作リモコン３７の操作により乾燥運転モードが設定されてスタートされると、換気ユニット５１１のモータＭ５と、循環ユニット５２０のモータＭ６が駆動され、ヒータ５２６が通電される。また、モータＭ２が駆動されてシャッタ５３１が鎖線位置に位置されて浴室側吸込風路５３０の開口５３０Ａが全開される。
【００６３】
そして、モータＭ６の駆動によりシロッコファン５２４が回転していき、浴室１２の空気が循環ユニット５２０の吸気口５２３Ｃから吸い込まれて吹出口５２１Ａから浴室へ吹き出していく。この吹出口５２１Ａから吹き出される空気はヒータ５２６によって暖められていくので、浴室１２の温度が図１０に示すように上昇していく。
【００６４】
他方、モータＭ５の駆動によりシロッコファン５１５が回転し、このシロッコファン５１５の回転により浴室１２の空気が浴室側吸込風路５３０の開口５３０Ａから吸い込まれ、この開口５３０Ａに吸い込まれた空気は浴室側吸込風路５３０および換気風路ケース５１４と循環ユニットケース５２１の天井壁部５２２との間の間隙Ｓを介して換気風路ケース５１４の吸気口５１８に吸い込まれていく。
【００６５】
そして、吸気口５１８に吸い込まれた空気は換気ユニットケース５１２の排気口５１７から排気ダクト（図示せず）を介して外へ排気されていき、浴室１２の換気が行われる。この浴室１２の換気により、図示しない浴室のドアに設けてあるガラリ（アンダーカット）等から乾燥した空気が取り入れられるので、衣類などの洗濯物が乾燥していく。また、このときのシロッコファン５１５の回転数は最大回転数に対して約２５％に設定されている。
【００６６】
そして、ステップ１０では湿度センサ４０が検出する湿度が所定湿度以下になったか否かが判断される。すなわち、衣類などの洗濯物が乾いたか否かが判断され、イエスであれば乾燥終了で、乾燥運転モードは終了することになる。ノーであれば、すなわち洗濯物が乾いていない場合にはステップ１１へ進む。
ステップ１１では、浴室１２の空気が規定温度（第１設定温度）になったか否か、例えば４０度になったか否かが判断され、ノーであればステップ１０へ戻り、浴室１２の空気が規定温度になるまでステップ１０およびステップ１１の処理動作が繰り返し行われる。
【００６７】
すなわち、浴室１２の空気が４０度に達するまで、ヒータ５２６の通電とモータＭ５,Ｍ６の駆動が続行される。
【００６８】
そして、浴室１２の空気が規定温度に達すると、すなわち浴室１２の空気が例えば４０度に達すると（図１０の時点ｔａ）、ステップ１１でイエスと判断されてステップ１２へ進む。
【００６９】
ステップ１２では、換気ユニット５１１のモータＭ５の駆動力が上げられる。すなわち、図１０に示すようにシロッコファン５１５の回転数が約５０％に上昇されて、換気ユニットケース５１２による換気量が増加される。
【００７０】
この換気量の増加により、浴室１２の温度上昇率は低下し、浴室１２の温度上昇が抑制されることになる。
【００７１】
ステップ１３では、湿度センサ４０が検出する湿度が所定湿度以下になったか否かが判断される。すなわち、衣類などの洗濯物が乾いたか否かが判断され、イエスであれば乾燥運転モードは終了し、ノーであればステップ１４へ進む。
【００７２】
ステップ１４では、シロッコファン５１５の回転数を５０％に上昇さても浴室１２の温度が上昇しているか否かが判断され、浴室１２の温度が上昇していればイエスと判断されて、ステップ１２へ戻る。
【００７３】
そして、換気ユニット５１１のモータＭ５の駆動力がさらに上げられて（時点ｔｂ）、図１０に示すようにシロッコファン５１５の回転数が約７５％に上昇され、換気ユニットケース５１２による換気量がさらに増加される。
【００７４】
この換気量の増加により、図１０に示すように浴室１２の温度は低下していく。そして、ステップ１３で湿度センサ４０が検出する湿度が所定湿度以下になったか否かが判断され、ノーであればステップ１４へ進む。
【００７５】
そして、ステップ１４では、シロッコファン５１５の回転数を７５％に上昇されて運転しているとき、浴室１２の温度が上昇しているか否かが判断される。ここでは、図１０に示すように浴室１２の温度が低下しているので、ノーと判断されてステップ１５へ進む。
【００７６】
ステップ１５では、換気風量を元にもどされる。すなわち、シロッコファン５１５の回転数を約５０％にされて（時点ｔｃ）、ステップ１０へ戻る。
【００７７】
そして、湿度センサ４０が検出する湿度が所定湿度以下になるまで、すなわち洗濯物が乾くまでステップ１０ないしステップ１５の処理動作が繰り返し行われていく。これら処理動作の繰り返しにより、浴室１２の温度が上昇していけばその上昇に応じて換気風量が増加されていくので、浴室１２の温度が５０度に達するのを防止することができる。また、浴室１２の温度が低下すればその低下に応じて換気量が減少されていくので、浴室１２の温度が４０度に低下してしまうことを防止することができる。
【００７８】
このため、ヒータ５２６の通電を停止させることなく浴室１２の温度を５０度近辺に維持した状態に保つことができる。このため、第１実施例と同様に洗濯物の乾燥を短時間で行うことができることになる。
【００７９】
この第２実施例では、浴室１２の温度が５０度に近づくにしたがって段階的に換気風量を増加させているが、リニア的に換気風量を増加させるようにしてもよい。また、シロッコファン５１５の回転数を変えることによって換気量を変えているが、シロッコファン５１５の回転数を一定にしてシャッタ５３１の位置を調整することにより、換気量を調整するようにしてもよい。
【００８０】
上記実施例では、湿度センサ４０で浴室１２の空気の湿度を検出しているが、上述したように重量センサ４１を使用してもよい。
［他の運転モード］
リモコン３７の操作により換気運転モードが設定されると、循環ユニット５２０のモータが駆動されてシャッタ５３１が回動し、浴室側吸込風路５３０の開口５３０Ａが開成される。シャッタ５３１は、適正な換気量となるように予め設定された位置へ回動される。
【００８１】
他方、換気ユニット５１１のモータＭ５が駆動されてシロッコファン５１５が回転し、このシロッコファン５１５の回転により浴室１２の空気が浴室側吸込風路５３０の開口５３０Ａから吸い込まれ、この開口５３０Ａに吸い込まれた空気は浴室側吸込風路５３０および換気風路ケース５１４と循環ユニットケース５２１の天井壁部５２２との間の間隙Ｓを介して換気風路ケース５１４の吸気口５１８に吸い込まれていく。
【００８２】
そして、吸気口５１８に吸い込まれた空気は換気ユニットケース５１２の排気口５１７から排気ダクト（図示せず）を介して外へ排気されていき、浴室１２の換気が行われる。
【００８３】
暖房運転モードが設定されると、換気ユニット５１１のシロッコファン５１５の回転は停止されるとともにシャッタ５３１が閉成され、浴室側吸込風路５３０の開口５３０Ａはシャッタ５３１により閉塞される。そして、循環ユニット５２０のシロッコファン５２４が回転していくとともにヒータ５２６が通電される。
【００８４】
シロッコファン５２４の回転により、浴室内の空気が循環ユニット５２０の吸気口５２３Ｃから吸い込まれて吹出口５２１Ａから浴室へ吹き出していく。この吹出口５２１Ａから吹き出される空気はヒータ５２６によって暖められていくので、浴室１２の暖房が行われる。
【００８５】
ところで、換気ユニットケース５１２から循環ユニット５２０を取り外すことができるので、換気ユニット５１１のメンテナンスが大変し易いものとなる。また、換気ユニットケース５１２から循環ユニット５２０を取り外すことにより、その循環ユニット５２０のメンテナンスも非常に行い易いものとなる。また、循環ユニット５２０と換気ユニット５１１は横並びに配置してもよい。
【００８６】
上記の第１,第２実施例の浴室空調装置１０,５１０は、いずれも輻射暖房ユニットを備えていないが、浴室１２の洗い場（図示せず）に向けて熱線を輻射する輻射暖房ユニットを備えたものであってもよい。
【符号の説明】
【００８７】
１０        浴室空調装置
１２        浴室
１８        吸引ファン
２２        排気風路
２７        ダンパ
２８        ヒータ
３５        温度センサ
【図１】
2010246998.tif 000003
【図２】
2010246998.tif 000004
【図３】
2010246998.tif 000005
【図４】
2010246998.tif 000006
【図５】
2010246998.tif 000007
【図６】
2010246998.tif 000008
【図７】
2010246998.tif 000009
【図８】
2010246998.tif 000010
【図９】
2010246998.tif 000011
【図１０】
2010246998.tif 000012
【図１１】
2010246998.tif 000013
【図１２】
2010246998.tif 000014
【図１３】
2010246998.tif 000015
【手続補正書】
【提出日】平成22年8月24日(2010.8.24)
【手続補正１】
【補正対象書類名】特許請求の範囲
【補正対象項目名】全文
【補正方法】変更
【補正の内容】
【特許請求の範囲】
【請求項１】
換気用ファンを有し浴室の空気を外へ排気する換気手段と、浴室の空気を加熱する加熱手段と、浴室の温度を検出する温度センサとを備え、前記換気手段による浴室の換気と、前記加熱手段による浴室の空気の加熱とを行う乾燥運転モードの最中、前記温度センサが検出する温度が第１設定温度以上になったとき、前記加熱手段への通電が停止されて該加熱手段による加熱動作が停止し、その温度が第１設定温度より低い第２設定温度となったとき前記加熱手段への通電が開始されて該加熱手段による加熱動作が行われる浴室空調装置であって、
前記加熱手段へ通電している前記乾燥運転モードの動作中、温度センサが検出する温度が第２設定温度から上昇して第１設定温度に近づくにしたがって、前記温度が第１設定温度を超えないように前記換気用ファンの回転数を漸増して、前記換気手段による換気量を漸増させるようにしたことを特徴とする浴室空調装置。
【請求項２】
前記浴室の湿度を検出する湿度センサまたは浴室に設置されるとともに洗濯物を干すランドリーパイプの重量を検出する重量センサを設け、前記湿度センサが検出する湿度に基づき、または重量センサが検出する重量に基づき、前記乾燥モードが停止することを特徴とする請求項１に記載の浴室空調装置。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】変更
【補正の内容】
【００１４】
請求項１の発明は、換気用ファンを有し浴室の空気を外へ排気する換気手段と、浴室の空気を加熱する加熱手段と、浴室の温度を検出する温度センサとを備え、前記換気手段による浴室の換気と、前記加熱手段による浴室の空気の加熱とを行う乾燥運転モードの最中、前記温度センサが検出する温度が第１設定温度以上になったとき、前記加熱手段への通電が停止されて該加熱手段による加熱動作が停止し、その温度が第１設定温度より低い第２設定温度となったとき前記加熱手段への通電が開始されて該加熱手段による加熱動作が行われる浴室空調装置であって、
前記加熱手段へ通電している前記乾燥運転モードの動作中、温度センサが検出する温度が第２設定温度から上昇して第１設定温度に近づくにしたがって、前記温度が第１設定温度を超えないように前記換気用ファンの回転数を漸増して、前記換気手段による換気量を漸増させるようにしたことを特徴とする。
【手続補正４】
【補正対象書類名】明細書
【補正対象項目名】００１５
【補正方法】変更
【補正の内容】
【００１５】
請求項２の発明は、請求項１の発明であって、前記浴室の湿度を検出する湿度センサまたは浴室に設置されるとともに洗濯物を干すランドリーパイプの重量を検出する重量センサを設け、前記湿度センサが検出する湿度に基づき、または重量センサが検出する重量に基づき、前記乾燥モードが停止することを特徴とする。
【手続補正５】
【補正対象書類名】明細書
【補正対象項目名】００１７
【補正方法】変更
【補正の内容】
【００１７】
【図１】参考例の浴室空調装置の概略構成を示した断面図である。
【図２】図１に示す浴室空調装置の制御系の構成を示したブロック図である。
【図３】浴室空調装置の動作を示したフロー図である。
【図４】浴室の温度の変化を示したグラフである。
【図５】実施例の浴室空調装置の外観を示した説明図である。
【図６】図５の浴室空調装置の構成を示した縦断面図である。
【図７】図５の浴室空調装置の構成を示した縦断面図である。
【図８】実施例の浴室空調装置の制御系の構成を示したブロック図である。
【図９】実施例の浴室空調装置の動作を示したフロー図である。
【図１０】浴室の温度の変化とシロッコファンの回転数との関係を示したグラフである。
【図１１】従来の浴室空調装置の暖房運転モード時または運転停止時のダンパー位置を示した説明図である。
【図１２】従来の浴室空調装置の換気運転モード時のダンパー位置を示した説明図である。
【図１３】従来の浴室空調装置の分流方式の乾燥運転モード時のダンパー位置を示した説明図である。
【手続補正６】
【補正対象書類名】明細書
【補正対象項目名】００１９
【補正方法】変更
【補正の内容】
【００１９】
［参考例］
図１は参考例に係る浴室空調装置１０を示したものである。この浴室空調装置１０は外側に金属製ボックスからなる本体ケース１１を有し、この本体ケース１１は浴室１２の天井部１３に設けられた開口部１４に挿入される。本体ケース１１の両側面には上部が逆Ｌ字状に折り曲げられたアンカーステイ１５が取り付けられている。アンカーステイ１５の上部逆Ｌ字状の部分には、階上のフロアとの仕切壁１６に設けられるアンカーボルト１７が挿通され、このアンカーボルト１７によって本体ケース１１は仕切壁１６に固定されている。
【手続補正７】
【補正対象書類名】明細書
【補正対象項目名】００４７
【補正方法】変更
【補正の内容】
【００４７】
上記参考例では、湿度センサ４０で浴室１２の空気の湿度を検出しているが、この湿度センサ４０を使用せずに、例えば、浴室１２に取り付けるランドリーパイプの重量を検出する重量センサ４１（図２参照）を設け、この重量センサ４１によって乾燥運転モードのスタート時点のランドリーパイプとランドリーパイプに吊るされる洗濯物の合計の重さを検出し、この重さに対して洗濯物が乾燥して軽くなったときの平均的な重さ（基準値）を予め求めておき、重量センサ４１が検出する重さが基準値以下になったとき、すなわち検出する重量に基づき洗濯物の乾燥が終了したと判断するようにしてもよい。なお、重量センサ４１は例えば歪みセンサ等である。
［他の運転モード］
暖房運転モードが設定されると、ダンパ２７は実線位置へ移動され、ヒータ２８が通電されるとともにモータ２５が駆動される。そして、モータ２５の駆動により吸込ファン１８が回転される。この吸込ファン１８の回転により、フロントパネル３１の吸込口３２から浴室１２の空気が本体ケース１１内に吸い込まれ、送風路２０および循環風路２３を通って、さらにヒータ２８で暖められた後に、吹出口３３から浴室１２内に送られる。これにより、浴室１２の暖房が行われる。
【手続補正８】
【補正対象書類名】明細書
【補正対象項目名】００５１
【補正方法】変更
【補正の内容】
【００５１】
モータ２５の駆動により吸引ファン１８が回転される。この吸込ファン１８の回転により本体ケース１１内に吸い込まれた浴室１２の空気は、ダンパ２７が破線位置へ移動されていることにより、送風路２０から排気風路２２と循環風路２３へ流れていく。循環風路２３へ流れた空気は、ヒータ２８の非通電により暖められることなくそのまま吹出口３３から浴室１２内へ吹き出していき、入浴者に涼風感を与えることになる。また、排気風路２２へ流れた空気はダクト３０を介して建物の外へ排気され、替わりに図示しない浴室のドアに設けてあるガラリ（アンダーカット）等から温度の低い空気が取り入れら、さらに入浴者に涼風感を与えることになる。
［実施例］
図５ないし図７は、実施例の浴室空調装置５１０を示したものである。この浴室空調装置５１０は、換気ユニット（換気手段）５１１と、この換気ユニット５１１の換気ユニットケース（本体ケース）５１２内に着脱可能に装着された循環ユニット５２０とを備えている。
【手続補正９】
【補正対象書類名】明細書
【補正対象項目名】００７８
【補正方法】変更
【補正の内容】
【００７８】
このため、ヒータ５２６の通電を停止させることなく浴室１２の温度を５０度近辺に維持した状態に保つことができる。このため、参考例と同様に洗濯物の乾燥を短時間で行うことができることになる。
【手続補正１０】
【補正対象書類名】明細書
【補正対象項目名】００７９
【補正方法】変更
【補正の内容】
【００７９】
この実施例では、浴室１２の温度が５０度に近づくにしたがって段階的に換気風量を増加させているが、リニア的に換気風量を増加させるようにしてもよい。また、シロッコファン５１５の回転数を変えることによって換気量を変えているが、シロッコファン５１５の回転数を一定にしてシャッタ５３１の位置を調整することにより、換気量を調整するようにしてもよい。
【手続補正１１】
【補正対象書類名】明細書
【補正対象項目名】００８６
【補正方法】変更
【補正の内容】
【００８６】
上記の実施例の浴室空調装置１０,５１０は、いずれも輻射暖房ユニットを備えていないが、浴室１２の洗い場（図示せず）に向けて熱線を輻射する輻射暖房ユニットを備えたものであってもよい。